(57)【要約】【課題】曲面スラブを構築するための型枠の型枠面を形成する曲面に沿った方向に間隔を隔てて複数の鉄筋を簡単かつ容易に位置決めできる鉄筋位置決め装置、及び、当該鉄筋位置決め装置を用いた曲面スラブ構築方法を提供する。【解決手段】鉄筋位置決め装置１は、一端部４に鉄筋載台５を有した複数の鉄筋位置決め部材２；２…と、取付板３とを備え、複数の鉄筋位置決め部材２；２…が取付板３の平板面と直交して一方向に沿って間隔を隔てて並ぶように、複数の鉄筋位置決め部材２；２…の各他端部６：６…が取付板３に固定された構成とした。【選択図】図１
2014181462.tif 000002
【特許請求の範囲】
【請求項１】
一端部に鉄筋載台を有した複数の鉄筋位置決め部材と、取付板とを備え、
複数の鉄筋位置決め部材が取付板の平板面と直交して一方向に沿って間隔を隔てて並ぶように、複数の鉄筋位置決め部材の各他端部が取付板に固定されたことを特徴とする鉄筋位置決め装置。
【請求項２】
取付板がばね板であることを特徴とする請求項１に記載の鉄筋位置決め装置。
【請求項３】
複数の鉄筋位置決め部材は、取付板の平板面から一端までの長さが同じになるように各他端部が取付板に固定され、かつ、鉄筋載台から鉄筋位置決め部材の一端までの長さが同じになるように鉄筋載台を有したことを特徴とする請求項１又は請求項２に記載の鉄筋位置決め装置。
【請求項４】
請求項１乃至請求項３のいずれか一項に記載された鉄筋位置決め装置を用い、
複数の鉄筋位置決め部材の一端を曲面に形成された型枠面を有した型枠の当該型枠面に設置することによって鉄筋位置決め装置の取付板の平板面を型枠面と平行な曲面に変形させて複数の鉄筋位置決め部材の一端部に設けられている各鉄筋載台を型枠面と平行な曲面上に位置させるステップと、
型枠面と平行な曲面上に位置された複数の鉄筋載台にそれぞれ鉄筋を載せるステップと、
複数の鉄筋載台に載せられた複数の鉄筋の上にこれら複数の鉄筋と交差するようにさらに複数の鉄筋を配筋して、これら上下の鉄筋を結束してスラブ下筋を形成するステップと、
スラブ下筋を鉄筋支持具を用いて型枠面に支持させるステップと、
スラブ下筋を鉄筋支持具で型枠面に支持させた状態で鉄筋位置決め装置を型枠面から撤去するステップと、
スラブ下筋の上方にスラブ上筋を配筋するステップと、
配筋終了後に型枠上にコンクリートを打設するステップと、
打設されたコンクリートの硬化後に型枠を撤去することにより型枠面に接していたコンクリートの面が曲面に形成された曲面スラブを構築するステップとを備えたことを特徴とする曲面スラブ構築方法。
【請求項５】
コンクリートよりも単位体積重量の軽い材料により形成されたボイドの下端部がスラブ下筋を構成する上下の鉄筋で囲まれた四角形の枠内にはまり込むように当該ボイドをスラブ下筋上に設置するステップを備えたことを特徴とする請求項４に記載の曲面スラブ構築方法。
【発明の詳細な説明】
【技術分野】
【０００１】
本発明は、曲面スラブを形成するための型枠の型枠面を形成する曲面上に鉄筋を位置決めするための鉄筋位置決め装置、及び、当該鉄筋位置決め装置を用いた曲面スラブ構築方法に関する。
【背景技術】
【０００２】
スラブを形成するため、水平な型枠面上にスラブ下筋を構成する複数の下側の鉄筋と複数の上側の鉄筋とを配筋する場合において、鉄筋載置部を有したスペーサが水平な型枠面上の所定の位置に複数個配置され、複数の下側の鉄筋が鉄筋載置部に載置されて型枠面と平行な水平面上において互いに平行に位置されるように配置され、かつ、これら複数の下側の鉄筋の上にこれら複数の下側の鉄筋と直交するように配置される複数の上側の鉄筋が型枠面と平行な水平面上において互いに平行に位置されるように配置されたことによってスラブ下筋が配筋されるスラブ下筋の配筋方法が知られている（例えば特許文献１等参照）。
また、曲面に形成された型枠面を有した型枠を用いて曲面スラブを構築する方法が知られている（例えば特許文献２等参照）。
【先行技術文献】
【特許文献】
【０００３】
【特許文献１】特開２００５−１３３４６６号公報
【特許文献２】特開平５−１７９８０１号公報
【発明の概要】
【発明が解決しようとする課題】
【０００４】
曲面スラブを構築するための型枠の型枠面上において当該型枠面を形成する曲面と平行な曲面上にスラブ下筋を構成する複数の下側の鉄筋を配筋する際、例えば、型枠面の曲面が横にした円筒の下側部分の円弧面により構成されている場合、複数の下側の鉄筋が、上記円筒の中心軸に沿って平行に延長するとともに、円弧面の円周に沿った方向に等間隔を隔てて配置されるように配筋される。この場合、複数の下側の鉄筋の位置を型枠面に墨出しによって求め、例えば特許文献１に開示されたスペーサを用いて複数の下側の鉄筋の位置決めを行うことができる。
しかしながら、この場合、複数の下側の鉄筋の位置をそれぞれ墨出しによって求めなくてはならず、また、墨出しによって求めた位置に複数の下側の鉄筋を位置決めしていかなくてはならないので、複数の下側の鉄筋を型枠面上に位置決めする作業が煩雑となる。
本発明は、曲面スラブを構築するための型枠の型枠面を形成する曲面に沿った方向に間隔を隔てて複数の鉄筋を簡単かつ容易に位置決めできる鉄筋位置決め装置、及び、当該鉄筋位置決め装置を用いた曲面スラブ構築方法を提供する。
【課題を解決するための手段】
【０００５】
本発明に係る鉄筋位置決め装置は、一端部に鉄筋載台を有した複数の鉄筋位置決め部材と、取付板とを備え、複数の鉄筋位置決め部材が取付板の平板面と直交して一方向に沿って間隔を隔てて並ぶように、複数の鉄筋位置決め部材の各他端部が取付板に固定されたので、複数の鉄筋位置決め部材の一端を曲面に形成された型枠面を有した型枠の当該型枠面に設置することによって鉄筋位置決め装置の取付板の平板面が型枠面と平行な曲面に変形し、複数の鉄筋位置決め部材の一端部に設けられている各鉄筋載台が型枠面と平行な曲面上に位置するので、複数の鉄筋載台にそれぞれ鉄筋を載せることにより、曲面スラブを構築するための型枠の型枠面を形成する曲面に沿った方向に間隔を隔てて複数の鉄筋を簡単かつ容易に位置決めできるようになる。
取付板がばね板であり、取付板の平板面が型枠面と平行な曲面に弾性変形するので、弾性変形領域内で使用する限りにおいては、何度でも使用できる鉄筋位置決め装置を提供できる。
複数の鉄筋位置決め部材は、取付板の平板面から一端までの長さが同じになるように各他端部が取付板に固定され、かつ、鉄筋載台から鉄筋位置決め部材の一端までの長さが同じになるように鉄筋載台を有したので、各鉄筋載台上に位置決めされた各鉄筋と型枠面との間の距離を等しくでき、曲面スラブのコンクリートかぶり厚を均等にできる。
本発明に係る曲面スラブ構築方法は、上記鉄筋位置決め装置を用い、複数の鉄筋位置決め部材の一端を曲面に形成された型枠面を有した型枠の当該型枠面に設置することによって鉄筋位置決め装置の取付板の平板面を型枠面と平行な曲面に変形させて複数の鉄筋位置決め部材の一端部に設けられている各鉄筋載台を型枠面と平行な曲面上に位置させるステップと、型枠面と平行な曲面上に位置された複数の鉄筋載台にそれぞれ鉄筋を載せるステップと、複数の鉄筋載台に載せられた複数の鉄筋の上にこれら複数の鉄筋と交差するようにさらに複数の鉄筋を配筋して、これら上下の鉄筋を結束してスラブ下筋を形成するステップと、スラブ下筋を鉄筋支持具を用いて型枠面に支持させるステップと、スラブ下筋を鉄筋支持具で型枠面に支持させた状態で鉄筋位置決め装置を型枠面から撤去するステップと、スラブ下筋の上方にスラブ上筋を配筋するステップと、配筋終了後に型枠上にコンクリートを打設するステップと、打設されたコンクリートの硬化後に型枠を撤去することにより型枠面に接していたコンクリートの面が曲面に形成された曲面スラブを構築するステップとを備えたので、曲面スラブを簡単かつ容易に構築することができる。
また、コンクリートよりも単位体積重量の軽い材料により形成されたボイドの下端部がスラブ下筋を構成する上下の鉄筋で囲まれた四角形の枠内にはまり込むように当該ボイドをスラブ下筋上に設置するステップを備えたので、ボイドを型枠面上に正確に設置できるようになり、ボイドにより軽量化が図られた曲面スラブを簡単かつ容易に構築できる。
【図面の簡単な説明】
【０００６】
【図１】鉄筋位置決め装置が曲面に形成された型枠面上に設置され、鉄筋が鉄筋載台に載せられた状態を示す側面図。
【図２】（ａ）は鉄筋位置決め部材が取付板に取付けられた状態を示す斜視図、（ｂ）は鉄筋位置決め装置の分解斜視図。
【図３】鉄筋位置決め装置が曲面に形成された型枠面上に設置され、鉄筋が鉄筋載台に載せられた状態を示す斜視図。
【図４】曲面の型枠面上に配筋された鉄筋上にボイドが配置された状態を示す図。
【発明を実施するための形態】
【０００７】
図１に示すように、鉄筋位置決め装置１は、複数の鉄筋位置決め部材２；２…と、複数の鉄筋位置決め部材２；２…が取付けられた１つの取付板３とを備えた構成である。
【０００８】
取付板３は、弾性限界が大きい板、例えば、一方向Ｘに長い長方形状の平板面を有した金属製のばね板により構成される。
【０００９】
鉄筋位置決め部材２は、一端部４に鉄筋載台５を備え、他端部６に取付板３への取付部７を備えた構成である。
言い換えれば、鉄筋位置決め部材２は、棒材１０と、棒材１０の一端部４に設けられた鉄筋載台取付部１１と、棒材１０の他端部６に設けられた取付板３への取付部７と、鉄筋載台取付部１１によって棒材１０の一端部４に取付けられた鉄筋載台５とを備えた構成である。
【００１０】
図２に示すように、棒材１０は、他端部６に雄ねじ部１５が形成された構成である。
鉄筋載台５は、例えば長方形状の平板面に鉄筋が入り込む凹部等の鉄筋載せ部１６を有した平板等により形成される。
取付板３は棒材１０の他端部６に形成された雄ねじ部１５が貫通する貫通孔１７を備え、鉄筋載台５は棒材１０の一端部４が貫通する貫通孔１８を備える。
【００１１】
鉄筋載台取付部１１は、例えば、棒材１０の一端部４に棒材１０の中心軸を回転中心として鉄筋載台５を回転可能に取付ける構成である。例えば、鉄筋載台５の貫通孔１８を貫通した棒材１０の一端部４に鉄筋載台５を挟むように設けられた一対の緩衝材２０；２０と、当該棒材１０の一端部４に当該一対の緩衝材２０；２０及び鉄筋載台５を挟むように設けられた一対の緩衝材ストッパー２１；２１とを備えた構成である。緩衝材２０は、例えば、弾性体、合成樹脂、金属等により形成されて棒材１０の一端部４が貫通する貫通孔２３を有した円環状板により形成される。緩衝材ストッパー２１は、棒材１０の一端部４に雄ねじ部４ａ（図２参照）が形成されている構成においては棒材１０の一端部４に螺着されるナットにより構成され、棒材１０の一端部４に雄ねじ部が形成されていない構成においては当該棒材１０の一端部４が貫通する貫通孔を有した円環状体により形成され、棒材１０の一端部４が当該円環状体の貫通孔に通された状態で当該円環状体が当該一端部４に溶接や接着等の固定手段で固定される構成とすればよい。
【００１２】
取付板３への取付部７は、取付板３の貫通孔１７を貫通した棒材１０の他端部６の雄ねじ部１５に取付板３を挟むように螺着された一対のナット２５；２５により構成され、一対のナット２５；２５を締結して一対のナット２５；２５で取付板３を挟み付けて固定する構成である。
【００１３】
複数の鉄筋位置決め部材２；２…は、１つの取付板３の平板面と直交して１つの取付板３の一方向Ｘに沿って例えば等しい間隔を隔てて一直線上又はほぼ一直線上に並ぶように、かつ、型枠面３１と対面する側の面となる取付板３の一方の平板面３ａから一端４ｔまでの長さが例えば同じ長さになるように、取付部７によって１つの取付板３に取付けられる。さらに、鉄筋載台５から鉄筋位置決め部材２の一端４ｔまでの長さが例えば同じになるように各鉄筋載台５；５…が各鉄筋載台取付部１１；１１…によって各鉄筋位置決め部材２；２…に取付けられる。
このように、複数の鉄筋位置決め部材２；２…が、取付板３の平板面から一端４ｔまでの長さが同じになるように各他端部６；６…が取付板３に固定され、かつ、各鉄筋載台５；５…から各鉄筋位置決め部材２；２…の一端４ｔ；４ｔ…までの長さがそれぞれ同じになるように各鉄筋載台５；５…を有した構成の鉄筋位置決め装置１を用いるようにすれば、各鉄筋載台５；５…上に位置決めされた各鉄筋３５；３５…と型枠面３１との間の距離を等しくでき、曲面スラブを構築した場合、曲面スラブのコンクリートかぶり厚を均等にできるようになる。
また、複数の鉄筋位置決め部材２；２…が、取付板３の平板面と直交して一方向に沿って等しい間隔を隔てて並ぶように、さらに、取付板３の平板面から一端４ｔまでの長さが同じになるように各他端部６；６…が取付板３に固定され、かつ、各鉄筋載台５；５…から各鉄筋位置決め部材２；２…の一端４ｔ；４ｔ…までの長さがそれぞれ同じになるように各鉄筋載台５；５…を備えた構成の鉄筋位置決め装置１を用いることにより、型枠面３１を形成する曲面に沿った方向に等しい間隔を隔てて複数の鉄筋３５；３５…を簡単かつ容易に位置決めできるようになる。
【００１４】
即ち、鉄筋位置決め装置１は、複数の鉄筋位置決め部材２；２…の各一端４ｔ：４ｔが曲面スラブを構築するための型枠３０の型枠面３１を形成する曲面に設置されるとともに取付板３の平板面が型枠面３１の曲面と平行な曲面（型枠面３１の曲面の曲率と同じ曲率の曲面）に弾性変形することにより、複数の鉄筋位置決め部材２；２…の一端部４；４…に設けられた複数の鉄筋載台５；５…が型枠面３１の曲面と平行な曲面上に位置されるように構成され、複数の鉄筋載台５；５…にそれぞれ載置された複数の下側の鉄筋３５；３５…を、型枠３０の型枠面３１の曲面と平行な曲面上（型枠面３１の曲面と曲率の同じ曲面上）の位置に位置決めする装置である。
【００１５】
以上のように構成された鉄筋位置決め装置１を用いて、型枠３０の曲面に形成された型枠面３１上に鉄筋を位置決めする方法、及び、曲面スラブを構築する方法を図３に基いて説明する。
例えば円筒の外周面の一部を形成する円弧面のように、下方に突出する円弧線が円筒の中心軸に沿った方向に連続することで形成されるような円弧面を有した曲面スラブを構築する場合を例にして説明する。
【００１６】
まず、構築しようとする曲面スラブの円弧面と同じ円弧面の型枠面３１を形成する型枠３０を構築する。
そして、型枠面３１を形成する円弧面の円周に沿った方向に複数の鉄筋位置決め部材２；２…が並ぶように型枠面３１上に鉄筋位置決め装置１を設置する。すると、取付板３が型枠面３１の円弧面の中心軸と中心軸を同じとする円弧面を形成するように撓んで、複数の鉄筋位置決め部材２；２…の一端４ｔ；４ｔ…がそれぞれ型枠面３１に接触する。これにより、複数の鉄筋位置決め部材２；２…の一端４ｔ；４ｔ…に設けられた各鉄筋載台５；５…も型枠面３１の円弧面の中心軸と中心軸を同じとする円弧面（型枠面３１の円弧面と曲率の同じ円弧面）上に位置されることになる。
尚、この場合、図１に示すように、各鉄筋位置決め部材２；２…の各棒材１０；１０…から突出するように設けられる各鉄筋載台５；５…の突出方向が、型枠面３１を形成する円弧面の最下位置となる部分を通過する垂直面３０Ｓを基準として当該垂直面３０Ｓより離れる方向に決められていることにより、各鉄筋載台５；５…に載せられた各鉄筋３５；３５…が垂直面３０Ｓの方向に移動して棒材１０；１０…に係止するので、各鉄筋３５；３５…が各鉄筋載台５；５…から落下するのを防止できるとともに、各鉄筋３５；３５…を棒材１０；１０…を基準とした位置に正確に位置決めできるようになる。
【００１７】
さらに、鉄筋位置決め装置１が設置された型枠面３１上の位置から型枠面３１の円弧面の中心軸に沿った方向に間隔を隔てた位置の型枠面３１上に上記と同じように別の鉄筋位置決め装置１を設置する。即ち、型枠面３１の円弧面の中心軸に沿った方向に間隔を隔てて複数の鉄筋位置決め装置１；１…を設置する。
そして、スラブ下筋３７（図４参照）を構成する下側の鉄筋３５が、型枠面３１の円弧面の中心軸に沿った直線上に位置する一方の鉄筋位置決め装置１の鉄筋載台５と他方の鉄筋位置決め装置１の鉄筋載台５とに掛け渡されて設置される。即ち、型枠面３１の円弧面の中心軸に沿った直線上に位置する一方の鉄筋位置決め装置１の鉄筋載台５と他方の鉄筋位置決め装置１の鉄筋載台５とで構成される一対の鉄筋載台５；５が複数組構成され、各一対の鉄筋載台５；５にそれぞれ鉄筋３５が１本ずつ掛け渡されるように設置される。これにより、型枠面３１の円弧面の中心軸と平行でかつ互いに平行に並ぶように配置されたスラブ下筋３７の複数の下側の鉄筋３５；３５…が、型枠面３１の円弧面の中心軸と中心軸を同じとする円弧面上において円弧面の円弧に沿った方向に等しい間隔を隔てた位置に位置決めされることになる。
【００１８】
そして、図４に示す通り、型枠面３１の円弧面の中心軸と中心軸を同じとする円弧面上において当該円弧面の円弧に沿った方向に間隔を隔てて設置された複数の下側の鉄筋３５；３５…の上に、これら複数の下側の鉄筋３５；３５…と直交するように複数の上側の鉄筋３６；３６…を型枠面３１の円弧面の中心軸に沿った方向に間隔を隔てて配置し、上下に位置された各鉄筋３５；３６が交差する部分を図外の結束線等で結び付けることにより、複数の上側の鉄筋３６；３６が配筋され、複数の下側の鉄筋３５；３５…と複数の上側の鉄筋３６；３６…とで構成されたスラブ下筋３７が型枠面３１上に位置決めされることになる。
その後、配筋されたスラブ下筋３７を図外のスペーサのような鉄筋支持具を用いて型枠面３１に支持させる。
そして、棒材１０を回転中心として鉄筋載台５を回転させて鉄筋載台５を鉄筋３５の下位置から外した後に鉄筋位置決め装置１を上方に移動させるようにして当該鉄筋位置決め装置１を型枠面３１上から撤去することで、スラブ下筋３７が型枠面３１上に設置されることになる。
【００１９】
次に、図４に示すように、曲面スラブの軽量化のために、例えばポリスチレンフォーム等の軽量な材料により形成されたボイドをスラブ下筋３７の上に設置する。例えば、両端が円弧面状に形成された円柱状のボイド４０（図４参照）又は図外の球状のボイドを曲面スラブ内に埋め込む場合、型枠面３１を形成する円弧面の円周に沿った方向で隣り合うことになるボイド４０；４０の中心軸４１；４１間の間隔はボイド４０の上端部となる上円弧面部４２を連結するワイヤーメッシュ等の連結材４５の長さによって決まる。この際、ボイド４０の下端部となる下円弧面部４３がスラブ下筋３７の配筋によって形成される鉄筋３５；３６で囲まれた正四角形の枠内に入り込むように、スラブ下筋３７を構成する下側の鉄筋３５の位置を決めることが望ましい。
【００２０】
ワイヤーメッシュ等の連結材４５で連結された複数のボイド４０；４０…をスラブ下筋３７の上に設置した場合、複数のボイド４０；４０…を連結した連結材４５が型枠面３１の曲面に対応して撓むので、隣り合うボイド４０；４０の中心軸４１；４１上の上端間の距離と下端間の距離とが異なるようになる。
従って、ボイド４０；４０の中心軸４１；４１間の間隔、及び、ボイド４０の横幅寸法に合わせて、スラブ下筋３７を構成する複数の下側の鉄筋３５；３５間の間隔を決め、当該間隔を型枠３０の型枠面３１の曲面に墨出しして、当該墨出しした位置に合わせて下側の鉄筋３５；３５を位置決めした場合、図４の白丸で示した鉄筋３５のように、実際に設置されるボイド４０の下円弧面部４３の両側（型枠面３１の曲面に沿った方向の両側）の位置とは異なる位置に位置決めされることになる。
このように、一対の鉄筋３５；３５が実際に設置されるボイド４０の下円弧面部４３の両側の位置とは異なる位置に位置決めされた場合、ボイド４０の下端部となる下円弧面部４３がスラブ下筋３７の配筋によって形成される鉄筋３５；３６で囲まれた正四角形の枠内に入り込まなくなる。この場合、ボイド４０の下円弧面部４３が鉄筋３５の上に載ってボイド４０の位置が上方にずれてしまうことにより、スラブ上筋３７Ａを設計通りに配筋できなくなったり、設計通りにコンクリートかぶり厚さを確保できなくなる可能性がある。
【００２１】
一方、実施形態のように、複数の鉄筋位置決め部材２；２…が、１つの取付板３の平板面と直交して１つの取付板３の一方向Ｘに沿って間隔ａ（図１参照）を隔てて並ぶように、かつ、型枠面３１と対面する側の面となる取付板３の一方の平板面３ａから一端４ｔまでの長さが同じ長さで、かつ、当該長さが連結材４５で連結された複数のボイド４０；４０…を型枠面３１上に設置した場合の設計上の連結材４５から型枠面３１までの長さと同じになるように、取付部７によって１つの取付板３に取付けられ、さらに、鉄筋載台５から鉄筋位置決め部材２の一端４ｔまでの長さが同じになるように各鉄筋載台５；５…を有した構成の鉄筋位置決め装置１を用い、上記間隔ａをスラブ上筋３７Ａを構成する複数の上側の鉄筋３９；３９…の設置間隔ｂ１；ｂ２（図４参照、尚、ｂ１とｂ２は同じ長さ又は異なる長さに設定される）に合わせて決めることによって、図４の黒丸で示した鉄筋３５のように、実際に設置されるボイド４０の下円弧面部４３の両側（型枠面３１の曲面に沿った方向の両側）に位置されるように、対の鉄筋３５；３５をそれぞれのボイド４０；４０…の中心軸４１；４１…から等しい距離の位置に位置決めできるようになる。
尚、ボイド４０の上円弧面部４２を貫通する連結材４５の長さｃ２（即ち、ボイド４０の下円弧面部４３を入りこませるための隣り合う鉄筋３５；３５の間の間隔）もスラブ上筋３７Ａを構成する上側の鉄筋３９；３９…の設置間隔ｂ２に合わせて決める。
従って、実施形態の鉄筋位置決め装置１を用いるボイド４０の下円弧面部４３を入り込ませるための鉄筋３５；３６で囲まれた正四角形の枠を正確に形成できるようになり、ボイド４０を型枠面３１上に正確に設置できるようになるので、ボイド４０により軽量化が図られた曲面スラブを簡単かつ容易に設計通りに構築できるようになる。
【００２２】
そして、連結材４５で連結された複数のボイド４０；４０…をスラブ下筋３７の上に設置した後、複数のボイド４０；４０…の上部にスラブ上筋３７Ａを構成する下側の鉄筋３８及び上側の鉄筋３９を配筋する。
当該配筋作業の終了後、型枠面３１上に流動性を有した生コンクリートと呼ばれるコンクリートをコンクリートかぶり厚さを確保できる所定のレベルまで打設する。
そして、打設されたコンクリートが固まった後に型枠３０を撤去する。これにより、型枠面３１と接触していたコンクリート面が型枠面３１の曲面と対応した曲面に形成された曲面スラブが構築される。
【００２３】
即ち、実施形態に係る曲面スラブ構築方法は、鉄筋位置決め装置１を用いて複数の鉄筋位置決め部材２：２…の一端を曲面に形成された型枠面３１を有した型枠３０の当該型枠面３１に設置することによって鉄筋位置決め装置１の取付板３の平板面を型枠面３１と平行な曲面に変形させて複数の鉄筋位置決め部材２；２…の一端部４；４…に設けられている各鉄筋載台５；５…を型枠面３１と平行な曲面上に位置させるステップと、型枠面３１と平行な曲面上に位置された複数の鉄筋載台５；５…にそれぞれ鉄筋３５；３５…を載せるステップと、複数の鉄筋載台５；５…に載せられた複数の鉄筋３５；３５…の上にこれら複数の鉄筋３５；３５…と交差するようにさらに複数の鉄筋３６；３６…を配筋して、これら上下の鉄筋３５；３６…を結束してスラブ下筋３７を形成するステップと、スラブ下筋３７を図外の鉄筋支持具を用いて型枠面３１に支持させるステップと、スラブ下筋３７を鉄筋支持具で型枠面３１に支持させた状態で鉄筋位置決め装置１を型枠面３１から撤去するステップと、曲面スラブを形成するためのコンクリートよりも単位体積重量の軽い材料により形成されたボイド４０の下端部である下円弧面部４３がスラブ下筋３７を構成する上下の鉄筋３５；３６…で囲まれた四角形の枠内にはまり込んで当該四角形の枠を貫通するように当該ボイド４０をスラブ下筋３７上に設置するステップと、複数のボイド４０；４０…の上部にスラブ上筋３７Ａを構成する下側の鉄筋３８及び上側の鉄筋３９を配筋するステップと、配筋終了後に型枠面３１上にコンクリートを打設するステップと、打設されたコンクリートの硬化後に型枠３０を撤去することにより型枠３０の型枠面３１に接していたコンクリートの面が曲面に形成された曲面スラブを構築するステップとを備えたので、曲面スラブを構築するための型枠３０の型枠面３１を形成する曲面に沿った方向に間隔を隔ててスラブ下筋３７を構成する複数の下側の鉄筋３５を簡単かつ容易に位置決めできるようになり、かつ、ボイド４０を型枠面３１上に正確に設置できるようになるので、ボイド４０により軽量化が図られた曲面スラブを簡単に構築できるようになる。
【００２４】
また、実施形態の鉄筋位置決め装置１によれば、複数の鉄筋位置決め部材２；２…が取付板３の平板面と直交して一方向に沿って間隔を隔てて並ぶように、複数の鉄筋位置決め部材２；２…の各他端部６が取付板３に固定されたので、複数の鉄筋位置決め部材の一端を型枠面３１に設置することによって鉄筋位置決め装置１の取付板３の平板面が型枠面３１と平行な曲面に変形し、複数の鉄筋位置決め部材２；２…の一端部４；４…に設けられている各鉄筋載台５；５…が型枠面３１と平行な曲面上に位置するので、複数の鉄筋載台５；５…にそれぞれ鉄筋３５；３５…を載せることにより、曲面スラブを構築するための型枠３０の型枠面３１を形成する曲面に沿った方向に間隔を隔てて複数の鉄筋３５；３５…を簡単かつ容易に位置決めできるようになる。
また、取付板３としてばね板を用いたので、取付板３の平板面が型枠面３１と平行な曲面に弾性変形し、弾性変形領域内で使用する限りにおいては、何度でも使用できる鉄筋位置決め装置１となる。尚、取付板３は、型枠面３１と平行な曲面に変形可能な構成であれば、ばね板でなくてもよい。
さらに、複数の鉄筋位置決め部材２；２…は、取付板３の平板面から一端４ｔまでの長さが同じになるように各他端部６；６…が取付板３に固定され、かつ、各鉄筋載台５；５…から各鉄筋位置決め部材２；２…の一端４ｔ；４ｔ…までの長さがそれぞれ同じになるように各鉄筋載台５；５…を有したので、各鉄筋載台５；５…上に位置決めされた各鉄筋３５；３５…と型枠面３１との間の距離を等しくでき、曲面スラブのコンクリートかぶり厚を均等にできる。
また、ボイド４０の下円弧面部４３を入り込ませるための鉄筋３５；３６で囲まれた正四角形の枠を正確に形成できるようになり、ボイド４０を型枠面３１上に正確に設置できるようになるので、ボイド４０により軽量化が図られた曲面スラブを簡単かつ容易に設計通りに構築できるようになる。
【００２５】
尚、複数の鉄筋位置決め部材２；２…の先端４ｔ；４ｔ…に型枠面３１に面接触する接触面積を大きくした図外の設置部材を設けて、鉄筋位置決め装置１が型枠面３１上で自立できるように構成すれば、鉄筋位置決め装置１の設置作業を容易にできる。
【００２６】
また、鉄筋位置決め部材２は、鉄筋載台５が棒材１０に回転不能に固定された構成、又は、棒材１０と鉄筋載台５とが一体に形成された構成であってもよい。この場合、棒材１０を棒材１０の中心軸を回転中心として回転させることによって鉄筋載台５を鉄筋３５の下位置より外して鉄筋位置決め装置１を型枠面３１から撤去すればよい。
【００２７】
本発明の鉄筋位置決め装置１は、１つの円弧面を有した型枠面３１だけでなく、あらゆる方向に自由に延長するような複数の異なる曲率を有した複数の曲面が組み合わされたような複合曲面を有した型枠面に対して使用することにより、当該複合曲面に沿った方向に間隔を隔てて複数の鉄筋を簡単かつ容易に位置決めできるようになる。即ち、本発明の鉄筋位置決め装置１を用いれば、あらゆる方向に入り組んだ複雑な複合曲面を有した型枠面上に複数の鉄筋を簡単かつ容易に位置決めできるようになり、複雑に入り組んだ曲面スラブも簡単に構築できるようになる。
【００２８】
また、本発明の鉄筋位置決め装置１は、壁、天井、シェル構造物の曲面スラブを構築する場合にも適用可能である。
【符号の説明】
【００２９】
１  鉄筋位置決め装置、２  鉄筋位置決め部材、３  取付板、４  一端部、
５  鉄筋載台、６  他端部、３０  型枠、３１  型枠面、３５  鉄筋。
【図１】
2014181462.tif 000003
【図２】
2014181462.tif 000004
【図３】
2014181462.tif 000005
【図４】
2014181462.tif 000006